(57)【特許請求の範囲】
【請求項１】
背面部の上端縁に、折り返し部、上段部および上垂れ壁部が折り目を介して順に連設されるとともに、背面部の下端縁に、底面部、下垂れ壁部および下段部が折り目を介して順に連設される一方、背面部の左右各端縁にそれぞれ側面部が折り目を介して連設され、また、上垂れ壁部の左右各端縁にそれぞれ支持部が折り目を介して連設されるとともに、下段部の左右各端縁にそれぞれ抜け止め部が折り目を介して連設され、さらに、各側面部の下端縁および側端縁下部にそれぞれ差し込みフラップが折り目を介して連設された商品の陳列スタンドにおいて、前記上垂れ壁部の上端縁および下段部の下端縁にそれぞれ位置決め部が折り目を介して連設される一方、折り返し部の左右各端縁および上下の位置決め部の左右各端縁にそれぞれ連結片が折り目を介して連設され、また、折り返し部の各連結片に対応して背面部に当該連結片をそれぞれ挿入して連結可能な連結部が形成され、上下の位置決め部の各連結片に対応して底面部および上垂れ壁部に当該連結片をそれぞれ挿入して連結可能な連結部が形成されることを特徴とする商品の陳列スタンド。
【請求項２】
請求項１に記載の商品の陳列スタンドに、商品の実物と同一の形状・寸法および近似するデザイン表示を有する商品の空容器体を陳列することを特徴とする商品の陳列方法。
【請求項３】
請求項１に記載の商品の陳列スタンドに、商品の実物と同一の形状・寸法および近似するデザイン表示を有する商品の空容器体であって、その内部に該空容器体を振った際に衝突音を発する固体が収納されている空容器体を陳列することを特徴とする商品の陳列方法。
【発明の詳細な説明】
【技術分野】
【０００１】
この発明は、ドラッグストアなどにおいて、薬品などの商品を展示陳列する陳列スタンドおよび商品の陳列方法に関するものである。
【背景技術】
【０００２】
従来より、薬品などの商品の陳列スタンドは、特許文献１に示されるように、上下方向に複数段の陳列棚を有し、各陳列棚に商品を配置して展示するようにしている。このような陳列スタンド１００は、図１０および図１１に示すように、コートボールを展開図にしたがって打ち抜いた後、折り目に沿って折り込むとともに、所定部分を貼着して組み立てられるようになっている。
【０００３】
具体的には、陳列スタンド１００は、図１２に示す展開図において、背面部１０１の上端縁に、折り返し部１０２、上段部１０３、上垂れ壁部１０４および糊代１０５が折り目ａ’，ｂ’，ｃ’，ｄ’を介して順に連設されるとともに、背面部１０１の下端縁に、底面部１０６、下垂れ壁部１０７、下段部１０８および糊代１０９が折り目ｅ’，ｆ’，ｇ’，ｈ’を介して順に連設される一方、背面部１０１の左右各端縁にそれぞれ側面部１１０，１１０が折り目ｉ’，ｉ’を介して連設され、また、上垂れ壁部１０４の左右各端縁にそれぞれ支持部１１１，１１１が折り目ｊ’，ｊ’を介して連設されるとともに、下段部１０８の左右各端縁にそれぞれ抜け止め部１１２，１１２が折り目ｋ’，ｋ’を介して連設され、さらに、各側面部１１０の下端縁および側端縁下部に差し込みフラップ１１３，１１４がそれぞれ折り目ｍ’，ｎ’を介して連設されて構成されている。
【０００４】
そして、上折り返し部１０２には、上段部１０３との折り目ｂ’近傍の上端縁部に糊代部１０２ａが設定されている。また、左右の側面部１１０には、その左右方向の幅を一辺とする正方形の対角線のうち、外方に向かって下り勾配となる側の対角線上に折り目ｐ’が形成され、この折り目ｐ’の外方に糊代部１１０ａが設定されている。さらに、底面部１０６には、下垂れ壁部１０７との折り目ｆ’を始点とする複数個のコ字状の切れ目ｑ’が間隔をおいて形成されており、これにより、折り目ｆ’は、各コ字状の切れ目ｑ’の始点間を除いて間欠的に形成されている。
【０００５】
さらに、折り返し部１０２には、背面部１０１との折り目ａ’を始点とする細長いコ字状の切れ目ｒ’が幅方向略中央部に形成されており、このコ字状の切れ目ｒ’を通して広告部２００の脚部２０１を挿入することにより、広告部２００を折り返し部１０２と背面部１０１との間で挟み込んで立設状態に支持することができる。
【０００６】
このような陳列スタンド１００を組み立てる場合は、図１２の展開図にしたがってコートボールを打ち抜くとともに、裏面が上面を向くように反転させた後、側面部１１０の折り目ｐ’よりも外方の糊代部１１０ａに接着剤を塗布し、折り目ｐ’に沿って谷折りし、裏面同士を貼着する。次いで、糊代１０５を上垂れ壁部１０４に対して折り目ｄ’に沿って谷折りした後、この糊代１０５の表面に接着剤を塗布するとともに、折り返し部１０２の糊代部１０２ａの裏面に接着剤を塗布し、背面部１０１に対して折り返し部１０２を上段部１０３、上垂れ壁部１０４および谷折りした糊代１０５とともに折り目ａ’に沿って谷折りし、折り返し部１０２の糊代部１０２ａの裏面を背面部１０１の裏面に貼着するとともに、糊代１０５の表面を底面部１０６の裏面に貼着する。さらに、糊代１０９を下段部１０８に対して折り目ｈ’に沿って谷折りし、その表面に接着剤を塗布した後、底面部１０６に対して下垂れ壁部１０７を下段部１０８および谷折りした糊代１０９とともに折り目ｆ’に沿って谷折りし、糊代１０９の表面を上垂れ壁部１０４の表面に貼着する。
【０００７】
次いで、底面部１０６に対して背面部１０１を折り目ｅ’に沿って谷折りする一方、折り返し部１０２に対して上段部１０３を折り目ｂ’に沿って谷折りするとともに、上段部１０３に対して上垂れ壁部１０４を折り目ｃ’に沿って山折りし、さらに、下段部１０８に対して下垂れ壁部１０７を折り目ｇ’に沿って山折りして階段状に形成した後、左右の側面部１１０に対して各差し込みフラップ１１３，１１４を折り目ｍ’，ｎ’に沿って谷折りするとともに、左右の支持部１１１および左右の抜け止め部１１２をそれぞれ折り目ｊ’，ｋ’に沿ってそれぞれ谷折りした後、各側面部１１０を折り目ｉ’に沿ってそれぞれ谷折りし、差し込みフラップ１１３を底面部１０６の裏面に重なるように差し込むとともに、差し込みフラップ１１４を下垂れ壁部１０７の裏面に重なるように差し込む。これにより、上下２段の陳列棚を有する陳列スタンド１００を組み立てることができる。
【０００８】
一方、接着剤を用いない陳列棚などの組立技術としては、例えば、特許文献２に示されるように、連結片を係合する方法や、特許文献３に示されるように、面ファスナーを用いる方法、特許文献４に示されるように、ビスを取付穴に挿通し、止め具を用いて固定する方法が提案されている。
【特許文献１】特開２００５−１１８３６５号公報
【特許文献２】特開平７−３２７７９２号公報
【特許文献３】特開２００１−１４９１８９号公報
【特許文献４】特開２００１−２５２１５６号公報
【発明の開示】
【発明が解決しようとする課題】
【０００９】
ところで、前述した陳列スタンドを製造する場合、糊代および糊代部に接着剤を塗布し、設定された折り目に沿って折り込んで接着する製造装置が必要となる。このような製造装置は、高価であることから、大きな初期投資が入用となる。
【００１０】
また、特許文献２に示される連結片を係合する方法では、単一のコートボールから組み立てることができないため、組み立てに際して手間が増える他、部品毎に保管する必要があるという欠点がある。特許文献３に示される面ファスナーを用いる方法では、特許文献２の場合と同様に、基台および陳列台を別途組み立てる必要があり、組み立てに際して手間が増える他、部品毎に保管する必要があるとともに、予め基台および陳列台に面ファスナーを接着しておく必要がある。
【００１１】
さらに、特許文献４に示されるビスおよび止め具を用いて固定する方法では、ビス結合に多くの時間が必要となり、迅速な組立作業や分解作業はできないものである。また、ビスや止め具の材質によっては、紙製陳列棚などと分別して廃棄しなければならず、作業が煩雑になるという問題がある。
【００１２】
本発明は、このような問題に鑑みてなされたもので、接着剤を用いることなく組み立てることのできる商品の陳列スタンドを提供するとともに、その陳列スタンドを用いて商品の万引き被害を確実に防止できる商品の陳列方法を提供するものである。
【課題を解決するための手段】
【００１３】
本発明の商品の陳列スタンドは、背面部の上端縁に、折り返し部、上段部および上垂れ壁部が折り目を介して順に連設されるとともに、背面部の下端縁に、底面部、下垂れ壁部および下段部が折り目を介して順に連設される一方、背面部の左右各端縁にそれぞれ側面部が折り目を介して連設され、また、上垂れ壁部の左右各端縁にそれぞれ支持部が折り目を介して連設されるとともに、下段部の左右各端縁にそれぞれ抜け止め部が折り目を介して連設され、さらに、各側面部の下端縁および側端縁下部にそれぞれ差し込みフラップが折り目を介して連設された商品の陳列スタンドにおいて、前記上垂れ壁部の上端縁および下段部の下端縁にそれぞれ位置決め部が折り目を介して連設される一方、折り返し部の左右各端縁および上下の位置決め部の左右各端縁にそれぞれ連結片が折り目を介して連設され、また、折り返し部の各連結片に対応して背面部に当該連結片をそれぞれ挿入して連結可能な連結部が形成され、上下の位置決め部の各連結片に対応して底面部および上垂れ壁部に当該連結片をそれぞれ挿入して連結可能な連結部が形成されることを特徴とするものである。
【００１４】
本発明によれば、展開図にしたがって打ち抜いた後、折り目に沿って折り込むとともに、連結片を対応する背面部、底面部および上垂れ壁部に形成された連結部に挿入して差し込んで連結することにより組み立てることができる。したがって、陳列スタンドを接着剤を使用することなく組み立てることができ、組立式の陳列スタンドを製造するに際して、安価な切断機械を採用することができる。
【００１５】
本発明の商品の陳列方法は、請求項１に記載の商品の陳列スタンドに、商品の実物と同一の形状・寸法および近似するデザイン表示を有する商品の空容器体を陳列することを特徴とするものである。
【００１６】
本発明によれば、陳列スタンドに、商品の実物と同一の形状・寸法および近似するデザイン表示を有する商品の空容器体を陳列することにより、商品の万引き被害を確実に防止することができる。
【００１７】
本発明の商品の陳列方法は、請求項１に記載の商品の陳列スタンドに、商品の実物と同一の形状・寸法および近似するデザイン表示を有する商品の空容器体であって、その内部に該空容器体を振った際に衝突音を発する固体が収納されている空容器体を陳列することを特徴とするものである。
【００１８】
本発明によれば、陳列スタンドに、商品の実物と同一の形状・寸法および近似するデザイン表示を有する商品の空容器体を陳列することにより、商品の万引き被害を確実に防止することができる。また、空容器体を手にした際の空虚な感じを、空容器体を振った際にその内部に収納された固体によって発生する衝突音によって解消することができる。
【発明の効果】
【００１９】
本発明の商品の陳列スタンドによれば、陳列スタンドを接着剤を用いることなく組み立てることができるとともに、偏平に折り畳んで簡単に保管することができ、また、一体に製造できるため、部品が散逸することもない。
【００２０】
また、商品の陳列方法によれば、商品の万引き被害を確実に防止することができる。
【発明を実施するための最良の形態】
【００２１】
以下、本発明の実施の形態を図面に基づいて説明する。
【００２２】
図１乃至図２には、本発明の商品の陳列スタンド１の一実施形態が示されている。
【００２３】
この陳列スタンド１は、コートボールを展開図にしたがって打ち抜いた後、折り目に沿って折り込むとともに、連結片を所定部分に差し込んで連結することにより組み立てられる。
【００２４】
陳列スタンド１は、図３の展開図において、背面部２の上端縁に、折り返し部３、上段部４、上垂れ壁部５および位置決め部６が折り目ａ，ｂ，ｃ，ｄを介して順に連設されるとともに、背面部２の下端縁に、底面部７、下垂れ壁部８、下段部９および位置決め部１０が折り目ｅ，ｆ，ｇ，ｈを介して順に連設される一方、背面部２の左右各端縁にそれぞれ側面部１１，１１が折り目ｉ，ｉを介して連設され、また、上垂れ壁部５の左右各端縁にそれぞれ支持部１２，１２が折り目ｊ，ｊを介して連設されるとともに、下段部９の左右各端縁にそれぞれ抜け止め部１３，１３が折り目ｋ，ｋを介して連設され、さらに、各側面部１１の下端縁および側端縁下部にそれぞれ差し込みフラップ１４，１５が折り目ｍ，ｎを介して連設され、また、折り返し部３の左右各端縁の上半部にそれぞれ連結片１６，１６が折り目ｐ，ｐを介して連設される一方、位置決め部６の左右各端縁にそれぞれ連結片１７，１７が折り目ｑ，ｑを介して連設されるとともに、位置決め部１０の左右各端縁にそれぞれ連結片１８，１８が折り目ｒ，ｒを介して連設されて構成されている。
【００２５】
そして、背面部２には、折り返し部３に連設された左右の連結片１７に対応して、各連結片１７をそれぞれ挿入可能な連結部としての差し込み穴２ａ、差し込み切れ目２ｂが左右に形成されている。すなわち、背面部２には、背面部２に対して折り返し部３を折り目ａに沿って折り込んだ際に、折り返し部３の高さ（折り目ａ，ｂ間の間隔）に合致する高さ位置に、連結片１６の高さよりも若干大きな高さの差し込み穴２ａ、差し込み切れ目２ｂが形成されている。また、底面部７には、位置決め部６に連設された左右の連結片１７に対応して、各連結片１７をそれぞれ挿入可能な連結部としての差し込み穴７ａ、差し込み切れ目７ｂが左右に形成されている。すなわち、底面部７には、位置決め部６が底面部７上に面接触するように上垂れ部５に対して折り目ｄに沿って折り込まれた際に、上段部４の高さ（折り目ｂ，ｃ間の間隔）に合致する高さ位置に、連結片１７の高さよりも若干大きな高さの差し込み穴７ａ、差し込み切れ目７ｂが形成されている。さらに、上垂れ壁部５には、位置決め部１０に連設された左右の連結片１８に対応して、各連結片１８をそれぞれ挿入可能な連結部としての差し込み穴５ａ，５ｂが左右に形成されている。すなわち、上垂れ部５には、前述した連結片１７によって底面部７に対して垂直に立設するように連結された際に、下垂れ壁部８の高さ（折り目ｆ，ｇ間の間隔）に合致する高さ位置に、連結片１８の高さよりも若干大きな高さの差し込み穴５ａ，５ｂが形成されている。
【００２６】
なお、各連結片１６，１７には、対応する差し込み穴２ａ，７ａおよび差し込み切れ目２ｂ，７ｂ間に対応して折り目ｐ，ｑと平行に折り目ｐ１，ｑ１が形成され，連結片１８には、対応する差し込み穴２５ａ，５ｂ間に対応して折り目ｒと平行に折り目ｒ１が形成されている。
【００２７】
また、底面部７には、下垂れ壁部８との折り目ｆを始点とする複数個のコ字状の切れ目ｓが間隔をおいて形成され、これにより、折り目ｆは、コ字状の切れ目ｓの始点間を除いて間欠的に形成されている。同様に、上段部４および下段部９にも、それぞれ上垂れ壁部５および下垂れ壁部８との折り目ｃ，ｇを始点とする複数個のコ字状の切れ目ｔ，ｕが間隔をおいて形成され、これにより、折り目ｃ，ｇは、コ字状の切れ目ｔ，ｕの始点間を除いて間欠的に形成されている。
【００２８】
さらに、折り返し部３には、背面部２との折り目ａを始点とする細長いコ字状の切れ目ｖが幅方向略中央部に形成されており、このコ字状の切れ目ｖを通して広告部２０の脚部２１を挿入することにより、広告部２０を折り返し部３と背面部２との間で挟み込んで立設状態に支持することができる。
【００２９】
このような陳列スタンド１を組み立てる場合は、図３の展開図にしたがってコートボールを打ち抜くとともに、裏面が上面を向くように反転させた後（図４参照）、背面部２に対して折り返し部３を上段部４、上垂れ壁部５および位置決め部６とともに折り目ａに沿って谷折りするとともに、下垂れ壁部８に対して下段部９を位置決め部１０とともに折り目ｇに沿って谷折する。この際、折り返し部３に連設された左右の連結片１６を背面部２の左右に形成された差し込み穴２ａにそれぞれ挿入し、背面部２に折り返し部３を仮止めする（図５参照）。次いで、仮止めされた折り返し部３に対して上段部４を上垂れ壁部５および位置決め部６とともに折り目ｂに沿って谷折りした後（図６参照）、上段部４に対して上垂れ壁部５を位置決め部６とともに折り目ｃに沿って山折りする（図７参照）。
【００３０】
さらに、背面部２に対して底面部７を下垂れ壁部８および下垂れ壁部８に対して折り込まれた下段部９と位置決め部１０とともに互いに接近するように谷折りする。この際、位置決め部６に連設された左右の連結片１７を底面部７の左右に形成された差し込み穴７ａにそれぞれ挿入し、仮止めするとともに、位置決め部１０に連設された左右の連結片１８を上垂れ壁部５の左右に形成された差し込み穴５ａにそれぞれ挿入し、仮止めする（図８参照）。
【００３１】
次いで、下段部９に対して下垂れ壁部８を折り目ｇに沿って山折りするとともに、底面部７に対して下垂れ壁部８を折り目ｆに沿って山折りし、底面部７に対して谷折りされた背面部２を折り目ｅに沿って立ち上げることにより、連結片１６，１７，１８が対応する背面部２の差し込み穴２ａ、底壁部７の差し込み穴７ａ、上垂れ壁部５の差し込み穴５ａにそれぞれ挿入されて仮止めされて階段状に形成される。この後、左右の連結片１６を折り目ｐ１で折り返して背面部２の左右の差し込み切れ目２ｂにそれぞれ差し込むことにより、背面部２に対して折り返し部３を連結する。また、左右の連結片１７を折り目ｑ１で折り返して底面部７の左右の差し込み切れ目７ｂにそれぞれ差し込むことにより、底面部７に対して位置決め部６を介して上垂れ壁部５を連結する。同様に、上垂れ壁部５の背面側において、左右の連結片１８を折り目ｒ１で折り返して上垂れ壁部５の左右の差し込み穴５ｂにそれぞれ差し込むことにより、上垂れ壁部５に対して位置決め部１０を介して下段部９を連結する（図９参照）。
【００３２】
その後、左右の側面部１１に対して各差し込みフラップ１４，１５を折り目ｍ，ｎに沿って谷折りするとともに、左右の支持部１２よび左右の抜け止め部１３をそれぞれ折り目ｊ，ｋに沿ってそれぞれ谷折りした後、各側面部１１を折り目ｉに沿ってそれぞれ谷折りし、差し込みフラップ１４を底面部７の裏面に重なるように差し込むとともに、差し込みフラップ１５を下垂れ壁部８の裏面に重なるように差し込む。これにより、上下２段の陳列棚を有する陳列スタンド１を組み立てることができる。
【００３３】
この際、底面部７に形成された複数個のコ字状の切れ目ｓによって区画された部分が下垂れ壁部８に連続して下方に延設され、これにより、陳列スタンド１を前上がりに立ち上げることができ、上段部４および下段部９に配置された商品に対応する空容器体の脱落を防止することができる。また、上段部４および下段部９にそれぞれ形成された複数個のコ字状の切れ目ｔ，ｕによって区画された部分が上垂れ壁部５および下垂れ壁部９に連続して上段部４の表面および下段部９の表面を越えて上方にそれぞれ立ち上げられ、上段部４および下段部９に配置された空容器体の脱落を防止することができる。
【００３４】
このように、陳列スタンド１は、接着剤を用いることなく組み立てることができることから、高価な製造装置を購入することなく、トムソン刃などを有する切断装置で対応することが可能となり、安価に製造することができる。
【００３５】
このようにして陳列スタンド１が組み立てられたならば、予め用意された空容器体（図示せず）を上段部４および下段部５に積載して店頭に配置すればよい。
【００３６】
ここで、空容器体としては、商品の実物と同一の形状・寸法および近似するデザイン表示を有するものが用いられる。また、空容器体の内部には、空容器体を振った際に衝突音が発生するように、固体を収納しておくことが好ましい。これにより、商品の万引き被害を確実に防止することができるとともに、空容器体を手にした際の空虚な感じを、空容器を振った際に発生する固体による衝突音によって解消することができる。
【００３７】
なお、商品は、販売員の手元に保管されており、空容器体を持参した購入者に代金と引き換えて商品を手渡せばよい。
【図面の簡単な説明】
【００３８】
【図１】本発明の商品の陳列スタンドの一実施形態を広告部とともに示す斜視図である。
【図２】図１の陳列スタンドの断面図である。
【図３】図１の陳列スタンドの展開図である。
【図４】図１の陳列スタンドの組立工程を示す説明図である。
【図５】図１の陳列スタンドの組立工程を示す説明図である。
【図６】図１の陳列スタンドの組立工程を示す説明図である。
【図７】図１の陳列スタンドの組立工程を示す説明図である。
【図８】図１の陳列スタンドの組立工程を示す説明図である。
【図９】図１の陳列スタンドの組立工程を示す説明図である。
【図１０】従来の商品の陳列スタンドを広告部とともに示す斜視図である。
【図１１】図１０の陳列スタンドの断面図である。
【図１２】図１０の陳列スタンドの展開図である。
【符号の説明】
【００３９】
１  陳列スタンド
２  背面部
３  折り返し部
４  上段部
５  上垂れ壁部
６，１０  位置決め部
７  底壁部
８  下垂れ壁部
９  下段部
１１  側面部
１２  支持部
１３  抜け止め部
１４，１５  差し込みフラップ
１６，１７，１８  連結片
２ａ，５ａ，５ｂ，７ａ  差し込み穴
２ｂ，７ｂ  差し込み切れ目
ａ，ｂ，ｃ，ｄ，ｅ，ｆ，ｇ，，ｈ，ｉ，ｊ，ｋ，ｍ，ｎ，ｐ，ｑ  折り目
ｓ，ｔ，ｕ  コ字状の切れ目
【図１】
0005172368.tif 000002
【図２】
0005172368.tif 000003
【図３】
0005172368.tif 000004
【図４】
0005172368.tif 000005
【図５】
0005172368.tif 000006
【図６】
0005172368.tif 000007
【図７】
0005172368.tif 000008
【図８】
0005172368.tif 000009
【図９】
0005172368.tif 000010
【図１０】
0005172368.tif 000011
【図１１】
0005172368.tif 000012
【図１２】
0005172368.tif 000013